(57)【要約】      （修正有）【課題】ガイド体を浴室、シャワールーム等の壁面に取付けた後でもスライド体をガイド体にスライド可能にセットできるスライド式シャワーハンガーを提供する。【解決手段】壁面Ｗに取付けられたガイド体１に沿ってスライドするスライド体２の一側にハンガー部６を、他側に締付け用の操作部３を設けたスライド式シャワーハンガーにおいて、前記スライド体２は、操作部側に位置する第１の部材７とハンガー部側に位置する第２の部材８とに２分割され、更にこれら部材７，８には前記ガイド体１を挟んだ状態で両部材７，８を係止するための係止部が設けられ、更に、前記ガイド体１を前記第２の部材８の受け部Ｓ’’とで挟むための押さえ部６０を前記第１の部材７に設け、前記操作部３の操作により移動可能に構成し、更に、前記第１の部材７と第２の部材８の係止部分も含めてそれぞれの部材を覆う一対のカバー体１１，１２を設けている。【選択図】            図３
2004162352.tif 000002
【特許請求の範囲】
【請求項１】
浴室、シャワールーム等の壁面に取付けられたガイド体に沿ってスライドするスライド体の一側にシャワーヘッドを掛止するハンガー部を設けるとともに、スライド体の他側に締付け用の操作部を設けたスライド式シャワーハンガーにおいて、前記スライド体は、操作部側に位置する第１の部材とハンガー部側に位置する第２の部材とに２分割され、更にこれら部材には前記ガイド体を挟んだ状態で両部材を係止するための係止部が設けられ、更に、前記ガイド体を前記第２の部材の受け部とで挟むための押さえ部を前記第１の部材に設け、また、前記押さえ部を前記ガイド体に当接させたり、または、離間させるよう前記操作部の操作により前記押さえ部を移動可能に構成し、更に、前記第１の部材の係止部分と第２の部材の係止部分も含めてそれぞれ前記第１の部材および第２の部材を覆う一対のカバー体を設けたことを特徴とするスライド式シャワーハンガー。
【発明の詳細な説明】
【０００１】
【発明の属する技術分野】
この発明は、浴室、シャワールーム等の壁面に取付けられたガイド体にシャワーヘッドをスライド可能に取付けるためのスライド式シャワーハンガーに関するものである。
【０００２】
【従来の技術】
【特許文献１】
特開平１０−  ８５１４号公報
【特許文献２】
特開平１０−２５７７８号公報
本出願人は、浴室、シャワールーム等の壁面に取付けられたガイド体にシャワーヘッドをスライド可能に取付けるためのスライド式シャワーハンガーを開発している（前記特許文献１，２参照）。これらは、例えば浴室の壁面に取付けられたガイド体（例えば普通はパイプ）の立設方向にスライドするスライド体と、スライド体の正面視左側に設けた操作部と、スライド体の正面視右側に設けたシャワーヘッド掛止用のハンガー部とでスライド式シャワーハンガーを構成し、更に、スライド体をガイド体に固定する締付け状態とこの締付けを緩めて固定解除する緩め状態が操作レバーのレバー部を９０°回動させる度に交互に切換わるようにし、前記緩め状態でスライド体に形成されたガイド体挿通穴を介してスライド体をガイド体に挿入し、スライド体をスライドさせてスライド体がガイド体の所定高さの位置に来ると、締付け操作を行ってスライド体をガイド体に固定するというものである。
【０００３】
【発明が解決しようとする課題】
しかし、上記構成では、ガイド体を壁面に取付ける前にスライド体をガイド体に挿入する必要があった。
【０００４】
この発明は、上記問題に鑑みてなしたもので、ガイド体を浴室、シャワールーム等の壁面に取付けた後でもスライド体をガイド体にスライド可能にセットできるスライド式シャワーハンガーを提供することを目的としている。
【０００５】
【課題を解決するための手段】
上記目的を達成するために、この発明のスライド式シャワーハンガーは、浴室、シャワールーム等の壁面に取付けられたガイド体に沿ってスライドするスライド体の一側にシャワーヘッドを掛止するハンガー部を設けるとともに、スライド体の他側に締付け用の操作部を設けたスライド式シャワーハンガーにおいて、前記スライド体は、操作部側に位置する第１の部材とハンガー部側に位置する第２の部材とに２分割され、更にこれら部材には前記ガイド体を挟んだ状態で両部材を係止するための係止部が設けられ、更に、前記ガイド体を前記第２の部材の受け部とで挟むための押さえ部を前記第１の部材に設け、また、前記押さえ部を前記ガイド体に当接させたり、または、離間させるよう前記操作部の操作により前記押さえ部を移動可能に構成し、更に、前記第１の部材の係止部分と第２の部材の係止部分も含めてそれぞれ前記第１の部材および第２の部材を覆う一対のカバー体を設けている。
【０００６】
【発明の実施の形態】
以下にこの発明のスライド式シャワーハンガーを図面を参照しつつ詳細に説明する。図１〜図３は、この発明の一実施形態を示す。
【０００７】
図１は、使用状態を示し、図２は、ガイド体への取り付け動作を示し、図３は、使用状態における構成を示す。また、図４は、第２の部材の横断面を示し、図５は、第２の部材の縦断面を示す。
【０００８】
図１〜図３において、１は、浴室、シャワールーム等の壁面Ｗに取付けられた縦手すり（ガイド体の一例）で、例えばステンレス等のパイプからなり、表面には滑り難く握り易いように樹脂がコーティングされている。
【０００９】
２は、ガイド体１にガイドされてその立設方向（両矢印Ａで示す方向）にスライドするスライド体である。そして、スライド体２の正面視左側に操作部３が、スライド体２の正面視右側にシャワーヘッド（図示せず）を掛止する切欠５を有するハンガー部６が、スライド体２にそれぞれ取り付けられた状態で、後述するカバー体１１およびカバー体１２で覆われたスライド体２がガイド体１の所定高さの位置に固定されている。
【００１０】
この発明の特徴的構成の一つは、前記スライド体２を、操作部側に位置する第１の部材と、ハンガー部側に位置する第２の部材に２分割した点にある。
【００１１】
すなわち、前記スライド体２は、操作部側に位置する第１の部材７と、ハンガー部側に位置する第２の部材８とに２分割され、更にこれら部材７，８には前記ガイド体１を挟んだ状態で両部材７，８を係止するための係止部（詳細は後述する）が設けられている。
【００１２】
第１の部材７は、一端に操作部３が取り付けられる開口１３を有し、他端に広く開いた湾曲部分Ｓによって形成される開口１４を有する。湾曲部分Ｓの中央開口１５は前記開口１３に連通している。
具体的には、第１の部材７は、胴の長さが短い筒部７ａと、筒部７ａの操作部取り付け側とは反対側に、前記筒部７ａの軸線Ｘに直交するスライド体スライド方向（Ａ方向）に沿う形でそれぞれ外向きに突出状態で対向して連設形成された一対の平面視ほぼ弓形の湾曲部７ｂ，７ｃとを有する。そして、前記湾曲部７ｂと湾曲部７ｃは同形である。すなわち、第１の部材７の筒部７ａが操作部側に位置するよう、また、第１の部材７の湾曲部７ｂ，７ｃがハンガー部側に位置するよう、かつ、前記軸線Ｘが水平になるよう、湾曲部７ｂ，７ｃがＡ方向に沿った状態で第１の部材７は横置きに設けられる。
【００１３】
第２の部材８は、一端にハンガー部６が取り付けられる開口２３を有し、他端に広く開いた湾曲部分Ｓ’’によって形成される開口（図示せず）を有する。この湾曲部分Ｓ’’は、第１の部材７の押さえ部（後述する）６０とでガイド体１を挟むための受け部を構成する。そして、前記湾曲部分Ｓ’’の中央開口２５は前記開口２３に連通している。
具体的には、第２の部材８は、前記筒部７ａの胴よりも長い胴を有する筒部８ａと、筒部８ａのハンガー部取り付け側とは反対側に、前記筒部８ａの軸線Ｘに直交するスライド体スライド方向（Ａ方向）に沿う形でそれぞれ外向きに突出状態で対向して連設形成された一対の平面視ほぼ弓形の湾曲部８ｂ，８ｃとを有する。そして、前記湾曲部８ｂと湾曲部８ｃは同形である。すなわち、第２の部材８の筒部８ａがハンガー部側に位置するよう、また、第２の部材８の湾曲部８ｂ，８ｃが操作部側に位置するよう、かつ、軸線Ｘが水平になるよう、湾曲部８ｂ，８ｃがＡ方向に沿った状態で第２の部材８は横置きに設けられる。
【００１４】
更に、第１の部材７は、湾曲部７ｂのＡ方向に沿う両開口端にそれぞれ複数の孔付突起ａを所定間隔あけて有するとともに、湾曲部７ｃのＡ方向に沿う両開放端にそれぞれ孔付突起ａと同形の複数の孔付突起ｂを所定間隔あけて有する。ｈは、孔付突起ａ，ｂにＡ方向に沿う形で穿設したねじ孔である。そして、孔付突起ａおよび孔付突起ｂ間の間隔も前記所定間隔と同一長さに設定されている。なお、この実施形態では、孔付突起ａのうち最上段に位置する孔付突起ａのねじ孔ｈ以外のねじ孔ｈを貫通孔としている。
【００１５】
一方、第２の部材８は、湾曲部８ｂのＡ方向に沿う両開口端にそれぞれ孔付突起ｃを有するとともに、湾曲部８ｃのＡ方向に沿う両開放端にそれぞれ孔付突起ｃと同形の複数の孔付突起ｄを有し、更に、軸線Ｘ上に孔付突起ｃ，ｄと同形の複数の孔付突起ｅを有する。ｈ’は、孔付突起ｃ，ｄ，ｅにＡ方向に沿う形で穿設したねじ孔で、ねじ孔ｈと同形である。また、この実施形態では、全てのねじ孔ｈ’を貫通孔としている。そして、孔付突起ｃは、孔付突起ａ，ａ間に嵌込まれ、孔付突起ｄは、孔付突起ｂ，ｂ間に嵌込まれ、孔付突起ｅは、孔付突起ａおよび孔付突起ｂ間に嵌込まれるよう構成されている。
【００１６】
前記孔付突起ａ，ｂおよび孔付突起ｃ，ｄ，ｅによって両部材７，８を係止する前記係止部が構成される。
【００１７】
１０は、前記係止部の孔付突起ａ，ｂのねじ孔ｈおよび孔付突起ｃ，ｄ，ｅのねじ孔ｈ’にねじ込まれて両部材７，８を係止するための一対の長ねじである。
【００１８】
図６は、図３において、長ねじ１０，１０をねじ孔ｈ，ｈ’に螺合させて第１の部材７の孔付突起ａ，ｂと第２の部材８の孔付突起ｃ，ｄ，ｅ同士を締付けて前記両部材７，８を連結したときの、手前側からＡ’で示す方向にみた湾曲部７ｂ，８ｂの連結状態を示す平面図である。
【００１９】
この発明のもう一つの特徴的構成は、第１の部材７の係止部分である孔付突起ａ，ｂも含めて第１の部材７を覆うカバー体１１と、第２の部材８の係止部分である孔付突起ｃ，ｄ，ｅも含めて第２の部材８を覆うカバー体１２を設けた点である。
【００２０】
前記カバー体１１は、第１の部材７の操作部取り付け側から第１の部材７に嵌め込まれることによって、筒部７ａとこの筒部７ａから連設された湾曲部７ｂ，７ｃを覆うよう形成されている。すなわち、前記カバー体１１は、一端に筒部７ａが嵌込まれる嵌込開口１３’を有し、他端に広く開いた湾曲部分Ｓ’によって形成される開口１４’を有する。湾曲部分Ｓ’の中央開口１５’は前記開口１３’に連通している。
【００２１】
また、前記カバー体１２は、第２の部材８のハンガー部取り付け側から第２の部材８に嵌め込まれることによって、筒部８ａとこの筒部８ａから連設された湾曲部８ｂ，８ｃを覆うよう形成されている。すなわち、前記カバー体１２は、一端に筒部８ａが嵌込まれる嵌込開口２３’を有し、他端に広く開いた湾曲部分Ｓ’’’によって形成される開口２４’’を有する。湾曲部分Ｓ’’’の中央開口２５’は前記開口２３’に連通している。
【００２２】
そして、カバー体１１の前記開口１４’を形成する上下ならびに左右の開口端３０，３１ならびに３２，３３のうち、第１の部材７の前記筒部７ａの軸線Ｘに沿う上下の開口端３０，３１は、第１の部材７の前記開口１４を形成する上下の開口端３０’，１３’および最上段にそれぞれ位置する左右の孔付突起ａの上面ならびに最下段にそれぞれ位置する左右の孔付突起ｂの下面を覆うように形成され、Ａ方向に沿う左右の開口端３２，３３は、第１の部材７の前記開口１４を形成する左右の開口端（図示せず）ならびに孔付突起ａ，ｂの外面側を覆うように形成されている。
【００２３】
この場合、前記開口端３１は、最下段の孔付突起ｂのねじ孔ｈに対応する位置にねじ孔ｈに連通するねじ挿通孔（図示せず）を有する。
【００２４】
一方、カバー体１２の前記開口２４’を形成する上下ならびに左右の開口端４０，４１ならびに４２，４３のうち、第２の部材７の前記筒部８ａの軸線Ｘに沿う上下の開口端４０，４１は、第２の部材８の湾曲部分Ｓ’’の前記開口（図示せず）を形成する上下の開口端５０，５１および最上段にそれぞれ位置する左右の孔付突起ｃの上面側ならびに最下段にそれぞれ位置する左右の孔付突起ｄの下面側を覆うように形成され、Ａ方向に沿う左右の開口端４２，４３は、第２の部材８の湾曲部分Ｓ’’の前記開口（図示せず）を形成する左右の開口端（図示せず）ならびに孔付突起ｃ，ｄ，ｅの外面側を覆うように形成されている。
【００２５】
また、この発明では、ガイド体１を前記第２の部材８の受け部とで挟むための押さえ部６０を前記第１の部材７に設け、また、前記押さえ部６０を前記ガイド体１に当接させたり、または、離間させるよう前記操作部３の操作により前記押さえ部６０を移動可能に構成してある。この移動手段７０の構成は、前記特許文献１，２に開示されている。
【００２６】
而して、カバー体１１を、第１の部材７の操作部取り付け側から第１の部材７に嵌め込むことによって、筒部７ａとこの筒部７ａから連設された湾曲部７ｂ，７ｃを覆うようにする。一方、前記カバー体１２を、第２の部材８のハンガー部取り付け側から第２の部材８に嵌め込むことによって、筒部８ａとこの筒部８ａから連設された湾曲部８ｂ，８ｃを覆うようにする。
【００２７】
第１の部材７に開口１３を介して前記移動手段７０を取り付けた後、操作部３を移動手段７０に連動連結する（図２参照）。
【００２８】
また、第２の部材８に開口２３を介してハンガー部６を取り付ける（図２参照）。
【００２９】
そして、スライド体２を、操作部側に位置する第１の部材７と、ハンガー部側に位置する第２の部材８に２分割したので、浴室、シャワールーム等の壁面Ｗに予め取付けられているガイド体１にも、図２の状態から図１のようにスライド式シャワーハンガーを容易に取り付けることができる。
すなわち、スライド体２をスライドさせてスライド体２がガイド体１の所定高さの位置に来ると、第２の部材８の受け部（湾曲部分）Ｓ’’をガイド体１に当接させながら操作部３の締付け操作を行って第１の部材７の押さえ部６０を  ガイド体１の方向に移動させ、第２の部材８の受け部（湾曲部分）Ｓ’’と第１の部材７の押さえ部６０とでガイド体１を挟み、スライド体２をガイド体１に固定することができる。
【００３０】
また、孔付突起ａ，ｂも含めて第１の部材７をカバー体１１で覆うことができるとともに、孔付突起ｃ，ｄ，ｅも含めて第２の部材８をカバー体１２で覆うことができるので、カバー体１１およびカバー体１２は化粧カバーとして機能させることができる。
【００３１】
【発明の効果】
以上説明したようにこの発明によれば、ガイド体を浴室、シャワールーム等の壁面に取付けた後でもスライド体をガイド体にスライド可能にセットできるスライド式シャワーハンガーを提供することができる。
【００３２】
また、第１の部材の係止部分と第２の部材の係止部分も含めてそれぞれ第１の部材および第２の部材を覆う一対のカバー体を化粧カバーとして用いることができる。
【図面の簡単な説明】
【図１】この発明の一実施形態における使用状態を示す斜視図である。
【図２】上記実施形態における組付け前の２分割の状態を示す斜視図である。
【図３】上記実施形態における締付け状態を示す構成説明図である。
【図４】上記実施形態で用いた第２の部材を示す横断面図である。
【図５】上記実施形態で用いた第２の部材を示す縦断面図である。
【図６】上記実施形態で用いた第１の部材と第２の部材の連結状態を示す平面図である。
【符号の説明】
１…ガイド体、２…スライド体、３…操作部、６…ハンガー部、７…第１の部材、８…第２の部材、１１，１２…カバー体、６０…押さえ部、Ｓ’’…受け部、Ｗ…壁面、ａ，ｂ、ｃ，ｄ，ｅ…孔付突起（係止部）。
【図１】
2004162352.tif 000003
【図２】
2004162352.tif 000004
【図３】
2004162352.tif 000005
【図４】
2004162352.tif 000006
【図５】
2004162352.tif 000007
【図６】
2004162352.tif 000008